(57)【特許請求の範囲】
【請求項１】
車載用電源及び商用電源から電源供給可能なナビゲーション装置において、起動時の認証を行うパスワードを車載用電源から電源供給した際に変更できるとともに、商用電源から電源供給した際に該パスワードの変更を禁止したことを特徴とするナビゲーション装置。
【請求項２】
車載用電源及び商用電源から電源供給可能なナビゲーション装置において、アドレス帳を閲覧する際の認証を行うパスワードを車載用電源から電源供給した際に変更できるとともに、商用電源から電源供給した際に該パスワードの変更を禁止したことを特徴とするナビゲーション装置。
【請求項３】
車載用電源に接続して所定の直流電圧を出力する車載用電源アダプタと、商用電源に接続して所定の直流電圧を出力する商用電源アダプタとを備え、前記車載用電源アダプタ及び前記商用電源アダプタの一方を接続して電源供給するとともに、前記車載用電源アダプタの出力電圧と前記商用電源アダプタの出力電圧とが異なることを特徴とする請求項１または２に記載のナビゲーション装置。
【発明の詳細な説明】
【技術分野】
【０００１】
本発明は、車載用電源及び商用電源から電源供給可能なナビゲーション装置に関する。
【背景技術】
【０００２】
従来のナビゲーション装置は特許文献１に開示される。このナビゲーション装置は車載用電源から電源供給して駆動され、自車位置を検知して目的地までの経路案内を行う。また、ナビゲーション装置の本体部を取り外して商用電源から電源供給し、目的地の登録、ＤＶＤ鑑賞、地図情報の更新等を行うことができる。
【０００３】
近年のナビゲーション装置は起動する際にパスワードによる認証が行われる。使用者は予め登録したパスワードを入力して認証を受けることにより、ナビゲーション装置を起動することができる。これにより、他人が使用することができずナビゲーション装置の盗難防止を図ることができる。また、目的地を登録する際に記憶されるアドレス帳のデータ等の個人情報が他人によって簡単に閲覧されることを防止することができる。
【特許文献１】特開２００２−３２８０２６号公報
【発明の開示】
【発明が解決しようとする課題】
【０００４】
しかしながら、上記従来のナビゲーション装置によると、家庭内での使用時には大人の目の届かないときに児童がナビゲーション装置を操作することができる。このため、児童が悪戯等によりパスワードを変更して失念するとナビゲーション装置を起動できなくなる危険がある。このため、ナビゲーション装置の利便性が悪い問題があった。
【０００５】
本発明は、利便性を向上できるナビゲーション装置を提供することを目的とする。
【課題を解決するための手段】
【０００６】
上記課題を解決するために本願発明は、車載用電源及び商用電源から電源供給可能なナビゲーション装置において、起動時の認証を行うパスワードを車載用電源から電源供給した際に変更できるとともに、商用電源から電源供給した際に該パスワードの変更を禁止したことを特徴とし、また、アドレス帳を閲覧する際の認証を行うパスワードを車載用電源から電源供給した際に変更できるとともに、商用電源から電源供給した際に該パスワードの変更を禁止したことを特徴とする。
【０００７】
この構成によると、ナビゲーション装置は車載用電源から電源供給して駆動され、自車位置を検知して目的地までの経路案内を行う。また、ナビゲーション装置の本体部を取り外して商用電源から電源供給し、目的地の登録、ＤＶＤ鑑賞、地図情報の更新等を行うことができる。商用電源から電源供給する際には、起動時の認証を行うパスワードやアドレス帳を閲覧するためのパスワード等の登録情報の変更が禁止される。
【０００８】
また本発明は、上記構成のナビゲーション装置において、車載用電源に接続して所定の直流電圧を出力する車載用電源アダプタと、商用電源に接続して所定の直流電圧を出力する商用電源アダプタとを備え、前記車載用電源及び前記商用電源アダプタアダプタの一方を接続して電源供給するとともに、前記車載用電源アダプタの出力電圧と前記商用電源アダプタの出力電圧とが異なることを特徴としている。
【０００９】
この構成によると、ナビゲーション装置はシガーライターソケット等に接続される車載用電源アダプタを介して電源供給され、車内で使用される。また、ナビゲーション装置の本体部を車内から取り外し、商用電源に接続される商用電源アダプタを介して本体部に電源供給される。これにより、ナビゲーション装置が家庭内等で使用される。車載用電源アダプタの出力電圧は商用電源アダプタの出力電圧と異なり、ナビゲーション装置は入力電圧を検知して入力電圧に応じた制御を行う。
【発明の効果】
【００１２】
本発明によると、商用電源から電源供給した際に起動時の認証を行うパスワードの変更を禁止したので、ナビゲーション装置を起動できなくなる危険を防止することができ、また、商用電源から電源供給した際にアドレス帳を閲覧する際の認証を行うパスワードの変更を禁止したので、アドレス帳を閲覧、編集できなくなる危険を防止することができる。
【００１３】
また本発明によると、車載用電源アダプタの出力電圧と商用電源アダプタの出力電圧とが異なるので、ナビゲーション装置は入力電圧を検知して、車載用電源から電源供給した時と商用電源から電源供給した時とで簡単に異なる制御を行うことができる。
【発明を実施するための最良の形態】
【００１６】
以下に本発明の実施形態を図面を参照して説明する。図１は一実施形態のナビゲーション装置の構成を示すブロック図である。ナビゲーション装置１は本体部１０を備え、本体部１０には外部電源入力端子９が設けられる。外部電源入力端子９は車載用電源アダプタ１１または商用電源アダプタ１２が接続され、外部電源が入力される。ナビゲーション装置１は車載用電源から電源供給して駆動され、自車位置を検知して目的地までの経路案内を行う。また、ナビゲーション装置１の本体部１０を取り外して商用電源から電源供給し、目的地の登録、ＤＶＤ鑑賞、地図情報の更新等を行うことができる。
【００１７】
車載用電源アダプタ１１は車載用電源に接続されるシガーライターソケットに挿設され、ＤＣ１２Ｖの車載用電源をＤＣ９Ｖに変換する。車載用電源に接続される配線から分岐して車載用電源アダプタ１１を設けてもよい。また、車載用電源アダプタ１１をＤＣ２４Ｖに接続できるようにしてもよい。商用電源アダプタ１２は商用電源に接続され、ＡＣ１００ＶをＤＣ１０．５Ｖに変換する。
【００１８】
本体部１０はＣＰＵから成る制御部２を有している。制御部２には記憶部３、表示部４、ＧＰＳ測位手段５、地図再生手段６、入力部７、変圧回路８が接続される。記憶部３はＲＡＭ、ＲＯＭ及びＨＤＤから成り、ナビゲーション装置１の動作プログラムを記憶するとともに、制御部２による演算結果を一時記憶する。動作プログラムを制御部２が実行してナビゲーション装置１の各部が制御される。また、記憶部３には地図情報やアドレス帳等が記憶される。アドレス帳は目的地を登録する際に使用者により入力される住所や電話番号等の情報を含んでいる。
【００１９】
表示部４は液晶パネル等から成り、地図や設定画面を表示する。ＧＰＳ測位手段５はＧＰＳアンテナ（不図示）を介して使用者が運転する自車の現在位置を検出する。地図再生手段６は記憶部３に記憶された地図情報に基づいて時系列に変化する地図を作成し、表示部４に表示する。
【００２０】
入力部５はリモートコントローラや表示部４の表面に設けたタッチパネル等から成り、使用者による入力操作を行う。変圧回路８は外部電源入力端子９から入力された外部電源を所定の駆動電圧（例えば、ＤＣ３．３Ｖ）に変換する。変圧回路８の出力電圧によって本体部１０内部の各回路に電源供給される。
【００２１】
図３はナビゲーション装置１の起動時の動作を示すフローチャートである。ナビゲーション装置１の電源スイッチをＯＮするとステップ＃１１でパスワードの入力画面が表示され、パスワードが入力されるまで待機する。パスワードが入力されると、ステップ＃１２に移行し、予め登録されたパスワードに一致するか否かによって認証が行われる。パスワードによる認証を行うことにより、他人が使用できないため盗難防止を図ることができる。
【００２２】
パスワードの不一致により認証できない場合はステップ＃１１に戻る。認証された場合はステップ＃１３で動作プログラムが起動される。ステップ＃１４では変圧回路８の入力電圧を制御部２により検知し、入力電圧がＤＣ９Ｖか否かが判断される。即ち、外部電源入力端子９に車載用電源から電源供給したか商用電源から電源供給したかが判断される。変圧回路８の入力電圧がＤＣ９Ｖの場合は、ステップ＃１６に移行する。
【００２３】
変圧回路８の入力電圧がＤＣ１０．５Ｖの場合はステップ＃１５で起動時のパスワード及びアドレス帳を閲覧する際の認証を行うパスワードの変更が禁止される。即ち、ステップ＃１２で認証されるパスワードは登録画面を表示して変更することが可能になっている。しかし、ステップ＃１５で起動時の認証を行うパスワードの変更禁止がフラグ等により記憶されるとパスワードの登録画面に移行できなくなる。
【００２４】
また、目的地を登録する際に使用者により住所や電話番号が入力され、記憶部３に設けたアドレス帳に記憶される。このため、個人情報が記録されるアドレス帳を閲覧、編集する際にはパスワードによる認証が行われる。これにより、他人が個人情報を容易に閲覧できないようになっている。ステップ＃１５でフラグ等によりアドレス帳の閲覧を認証するパスワードの変更禁止が記憶されると、パスワードの登録画面に移行できなくなる。
【００２５】
ステップ＃１６では初期画面を表示して起動時の処理が終了し、使用者による所定の入力操作を待機する。
【００２６】
本実施形態によると、商用電源から電源供給した際に起動時の認証を行うパスワードの変更を禁止したので、家庭内で使用する際に児童によるパスワードの変更を防止することができる。従って、ナビゲーション装置１を起動できなくなる危険を防止し、ナビゲーション装置１の利便性が向上する。また、商用電源から電源供給した際にアドレス帳を閲覧する際の認証を行うパスワードの変更を禁止したので、アドレス帳を閲覧、編集できなくなる危険を防止することができる。
【００２７】
起動時の認証を行うパスワードやアドレス帳を閲覧する際の認証を行うパスワードだけでなく、車載用電源から電源供給した際にユーザ変更可能な重要な登録情報を商用電源から電源供給した際に変更禁止してもよい。これにより、該登録情報に基づく機能を使用できなくなる危険を防止することができる。
【００２８】
また本発明によると、車載用電源アダプタ１１の出力電圧と商用電源アダプタ１２の出力電圧とが異なるので、ナビゲーション装置１は外部電源入力端子９に入力された入力電圧を検知して、車載用電源供給時と商用電源供給時とで簡単に異なる制御を行うことができる。
【産業上の利用可能性】
【００２９】
本発明は、車載用電源及び商用電源から電源供給可能なナビゲーション装置に利用することができる。
【図面の簡単な説明】
【００３０】
【図１】本発明の実施形態のナビゲーション装置の構成を示すブロック図である。
【図２】本発明の実施形態のナビゲーション装置の起動時の動作を示すフローチャートである。
【符号の説明】
【００３１】
１    ナビゲーション装置
２    制御部
３    記憶部
４    表示部
５    ＧＰＳ測位手段
６    地図再生手段
７    入力部
８    変圧回路
９    外部電源入力端子
１０    本体部
１１    車載用電源アダプタ
１２    商用電源アダプタ
【図１】
0004693655.tif 000002
【図２】
0004693655.tif 000003